Podtech/llm-jp-corpus-v4-ja_patent huggingface dataset:
(57)【要約】【課題】  家庭の浴槽内で有害物質のない活性化された浴水の中でこの装置を椅子として使用することで骨盤の矯正を行う健康入浴器具。【解決手段】    本来は、内蔵した自然石（麦飯石、ゼオライト、トルマリン）により、浴槽内の有害物質を吸収、除去して、浴水を活性化する。入浴時には浴槽内で椅子として使用して、骨盤の矯正を行い、正常な位置にもどして、健康増進に役立てる健康入浴器具。【選択図】図１
0003108922.tif 000002
【実用新案登録請求の範囲】
【請求項１】
（イ）器具の上部がフロートとしての役目をして、浴槽内で浮遊する健康入浴器具。
（ロ）フロートの上部と自然石を内蔵する下部容器は簡単に引きはなすことができ、中身が取り替えられる健康入浴器具。
（ハ）容器下部には通水性のあるネット内に麦飯石、ゼオライト、トルファン石等を入れ、有害物質を吸収、除去する健康入浴器具。
（ニ）入浴中は浴槽内で椅子として半身浴を行いながら、両サイドに貝をイメージしたフロートで骨盤を矯正することができる健康入浴器具。
【考案の詳細な説明】
【考案の詳細な説明】
【考案の属する分野】
【０００１】  本考案は入浴器具の上層部を浴槽内でいすとして使用するもので、半身浴を行う高さに設計し、温水中で骨盤の矯正を行うものである。
器具の下層部には、麦飯石、トルマリン、ゼオライトを内蔵して、有害物質を吸収除去しマイナスイオンを発生する健康入浴器具である。
【背景技術】
【０００２】  有害物質を除去する入浴器具は種々考案されているが浴槽内で椅子として使用しながら骨盤を矯正できるものはない。
近年、セラミックと称するものが頻繁に利用されているが、これは鉱物を原材料としたものを微粒子にして強力な化学糊材で円形に固め高熱で処理したものをその製品としている。自然石をそのまま使用したものと比較実験の結果、そのセラミックの効果は自然石に比べて５５％の効果しか得られなかった。
【考案が解決しようとする課題】
【０００３】    本案は、入浴器具として安全かつ浴水の浄化と活性化を行い、かつ半身浴を行いながら骨盤の矯正を行うもので、一般家庭の浴水温泉効果を楽しむことができて健康増進に役立てようとするものである。
【課題を解決するための手段】
【０００４】    この解決手段を図面により説明すると
（イ）この図Ａは浴槽内を浮遊させるためのフロートの役をする。入浴中掎子として使用。図Ｄ及びＤ’は貝をイメージしたもので、浴槽内で半身浴をしながら骨盤の矯正を行う。
（ロ）図Ｂは麦飯石、ゼオライト、トルマリンの自然石を内蔵した容器でフロートの部分と、引き離すことにより、はずせるよう設計した。図Ｃの丸い穴は海底から湧き出る気泡をイメージしたもので四方から通水性があり、自然石から成分が放出されることで、浴水中の有害物質を吸収するためのものである。
【考案実施の形態】
【０００５】    本案は、以上のような構造であるから、入浴のときは椅子として使用、半身浴を行いながら骨盤の矯正を行うもので、浴水中の有害物質を除去して活性化することを目的とするものである。
【考案の効果】
【０００６】    前述したように、一家庭に一器は備えたい入浴器具である。
【図面の簡単な説明】
【図１】    本考案の正面図
【図２】    本考案の側面図
【図３】    本考案の底面図
【符号の説明】
（イ）正面図のＡは浴槽内でフロートの役をして、浴槽内で椅子として使用される部分で両サイドの貝をイメージした部分が骨盤の矯正を行う。
Ｂは自然石を内蔵する容器、Ｃは通水坑で、海水中の気泡をイメージしている。
（ロ）側面図はＡとＢは引き出し式に設計した。
（ハ）底面図は通水性を良くするため、底面部分にも穴をあけた。
0003108922.tif 000003
【手続補正書】
【提出日】平成16年9月21日(2004.9.21)
【手続補正１】
【補正対象書類名】実用新案登録請求の範囲
【補正対象項目名】全文
【補正方法】変更
【補正の内容】
【実用新案登録請求の範囲】
【請求項１】
この器具は上下に分割され、上部は浴槽内を浮遊させるためのフロートの役をして、下部には、人体に有害な物質である次亜塩素酸ソーダーや、人の皮膚から発生するアンモニアの成分を除去、吸収する麦飯石、ゼオライト、マイナスイオンを発するトルファン石の鉱物粒を内蔵し、取替えが簡単にできるよう引出し式に設計した。入浴中はこの器具を浴槽内で椅子として使用し、半身浴を楽しみながら温浴水中で骨盤の矯正ができる入浴健康器具である。
【手続補正２】
【補正対象書類名】図面
【補正対象項目名】全図
【補正方法】変更
【補正の内容】
【図１】
0003108922.tif 000004
【図２】
0003108922.tif 000005
【図３】
0003108922.tif 000006
【手続補正書】
【提出日】平成16年12月16日(2004.12.16)
【手続補正１】
【補正対象書類名】実用新案登録請求の範囲
【補正対象項目名】全文
【補正方法】変更
【補正の内容】
【実用新案登録請求の範囲】
【請求項１】
この器具は上下に分割され、上部は浴槽内を浮遊させるためのフロートの役をして、下部には、人体に有害な物質である次亜塩素酸ソーダーや、人の皮膚から発生するアンモニアの成分を除去、吸収する麦飯石、ゼオライト、マイナスイオンを発するトルファン石の鉱物粒を内蔵し、取替えが簡単にできるよう引出し式に設計し、入浴中はこの器具を浴槽内で椅子として使用し、半身浴を楽しみながら温浴水中で骨盤の矯正ができる入浴健康器具である。
【手続補正２】
【補正対象書類名】図面
【補正対象項目名】全図
【補正方法】変更
【補正の内容】
【図１】
0003108922.tif 000007
【図２】
0003108922.tif 000008
【図３】
0003108922.tif 000009
(57)【要約】      （修正有）【課題】お年寄りや、障害をもっている方などに、杖がわりに使われているベビーカーを使用において、側溝の鋼製ふた（グレーチング）の溝にホイールがはまり込みや、突起にホイールがあたり乗り越えることができない、などのトラブルを解消する。【解決手段】三組のホイール２、３、７を動設したフレーム９の、ホイール部分を連動するように、且つ、巻き込むようにベルト６を動設する構造のベルト式車輪である。このような構造装置で、３個のホイールのうち、前部のホイールの直径が小さくなっている。したがって、その部分のベルトに角度が発生することで、道路上の障害物を乗り越えて進行する機能をもつものである。【選択図】図１
0003108921.tif 000002
【実用新案登録請求の範囲】
【請求項１】
あらかじめ、ホイール２、３、７を動設されたフレーム９のホイール部分を、連動するように、ベルト６を設置する、構造のベルト式車輪装置である。  ベビーカーの仮想フレーム１、１１の進行方向前部の左右に、ベルト式車輪装置を対称的に動設する。さらに、後部には通常のホイール１０を設置する。  ベビーカーの駆動部分に本装置を用いることで、道路面の段差や、側溝の鋼製ふたの溝の通過や、踏切の線路の溝の通過などに脱輪する事なく、進行することができる特徴をもった装置である。特に年配者の歩行を助ける機能をもっている。などのベビーカー、ベルト式車輪装置。
【考案の詳細な説明】
【技術分野】
【０００１】本考案は、ベビーカーの車輪の構造を変えることで、路上での通行を安全に行うことができるのである。［背景技術］【０００２】従来の、ベビーカーの車輪の構造では、車輪の直径が小さいため、道路の段差を乗り越えることができずにいることや、側溝の鋼製フタ（グレーチング）の間に車輪が入り込み動けなくなる構造になっている。実用新案出願平−１０３０８などホイールの考案やブレーキ装置の考案は数１０例あるが、本考案に準ずるものはない。【０００３】本考案は、上記に示した不都合を、改善するのを目的に考案されたものである。［考案の開示］［考案が解決しょうとする課題］【０００４】解決するには、車輪の構造を、溝にはまり込まない機能が必要である。さらに、道路の段差を乗り越えるにおいても、乗り越える機能をもった車輪の構造が必要でもある。［課題を解決するための手段］【０００５】三組のホイール２、３、７を動設したフレーム９の、ホイール部分を連動するように、且つ、巻き込むようにベルト６を動設する構造のベルト式車輪である。本考案は、このような構造装置で、図２に示すように、３個のホイールのうち、前部のホイールの直径が小さくなっている。したがって、その部分のベルトに角度が発生することで、道路上の障害物を乗り越えて進行する機能をもつものである。また、側溝のふた（グレーチング）の溝にはまり込むのを防ぐ機能は、複数のホイールとベルトの作用で路面に接触する部分が長くなり、したがって、溝にはまり込まない機能をもつのである。  この一体化した装置は、想定フレームの前部８の部分に動設されることで、動設された位置の前部が上部に上がれば、後部が下がるなとの作用があることで、道路の通行を良好に保つ機能ももっている。［考案の効果］【０００６】お年寄りの方や足なとに障害を持った方が、杖がわりに使っているのが、ベビーカーである。本考案の機能をもったベルト式車輪を前部に装着し、使用することで、車輪がはまり込むなどのトラブルを解消する働きの効果がある。［考案を実施するための最良の形態］【０００７】本考案装置は、悪路などのにも対応しなければなりません。したがって、装置の各部品部分の強度と精工性が求められます。また、使用するにおいて、前輪の過重と後輪の過重の比率が、できる限り同じになるように製作することが重要である。［実施例］【０００８】ホイール２、３、７が動設されたフレーム９の、各ホイールを連動するように、且つ、巻き込むようにベルト６を動設する構造で各部品を組み立てる。さらに、この装置を想定フレームに位置８を基準に動設することで、位置８を基準に前後がモーメント的作用をする装置ができる。
【図面の簡単な説明】
【０００９】
【図１】本考案装置の平面図
【図２】本考案装置の側面図
【符号の説明】
【００１０】１    …    想定フレーム２    …    ホイール３    …    ホイール４    …    シャフト５    …    シャフト６    …    ベルト７    …    ホイール８    …    動設位置９    …    フレーム１０  …    通常型後輪１１  …    想定フレーム
【図１】
0003108921.tif 000003
【図２】
0003108921.tif 000004
【手続補正書】
【提出日】平成16年9月27日(2004.9.27)
【手続補正１】
【補正対象書類名】実用新案登録請求の範囲
【補正対象項目名】全文
【補正方法】変更
【補正の内容】
［書類名］      実用新案登録請求の範囲
［請求項１］
想定フレーム１、１１に動設されたホイール２、３、７を巻き込むようにベルト６を動設した構造の装置である。この装置の機能及び特徴は、ベビーカー使用時において、
１、段差のある、道路面の通行が、良好に行われる。
２、道路、側溝の鋼製蓋部に車輪がはまり込む事なく、通行することができる。
３、踏切の線路上の通行が、より安全に行われる。
などの特徴をもった、ベビーカーベルト式車輪装置。
(57)【要約】      （修正有）【課題】シンプルなデザインでありながら適宜組み合わせることにより椅子やテーブル、書棚などの多用途に適応することが可能な多用途家具を提供する。【解決手段】矩形状に形成した基板部１の一側の長辺から垂直に立設した幅広の側板部２と、他側の長辺の両端部から垂直に立設した幅狭の側板部３とを形成し、両側板部の上端部を幅狭の天板部４を基板部と平行となるように形成して構成した。【選択図】図１
0003108926.tif 000002
【実用新案登録請求の範囲】
【請求項１】
矩形状に形成した基板部の一側の長辺から垂直に立設した幅広の側板部と、他側の長辺の両端部から垂直に立設した幅狭の側板部とを形成し、両側板部の上端部を幅狭の天板部を上記の基板部と平行となるように形成したことを特徴とする多用途家具。
【考案の詳細な説明】
【技術分野】
【０００１】
本考案は、多用途家具に関し、特に配置の仕方や組合わせ方により椅子、テーブル、書棚などの多用途に用いることが可能な多用途家具に関するものである。
【背景技術】
【０００２】
従来、一般的な家具はその目的や用途、機能に応じて形成されている。例えば、椅子であれば主に脚部と座面部と背部とにより形成されており、椅子以外の用途に用いることができないものであった。また、テーブルや書棚などの家具においても同様である。
【０００３】
上記の従来技術では、各々の用途や目的に応じて必要な家具を用意しなければならないので、経済性が悪く不便であるという課題を有していた。
【考案の開示】
【考案が解決しようとする課題】
【０００４】
この考案は、上記従来の一般的な家具が有している問題点を解消すると共に、シンプルなデザインでありながら適宜組合わせることにより椅子やテーブル、書棚などの多用途に適応することが可能な多用途家具を提供することを目的とするものである。
【課題を解決するための手段】
【０００５】
本考案は上記のような課題を解消しようとするもので、次のような手段を講じたものである。
【０００６】
登録を受けようとする考案は、矩形状に形成した基板部の一側の長辺から垂直に立設した幅広の側板部と、他側の長辺の両端部から垂直に立設した幅狭の側板部とを形成し、両側板部の上端部を幅狭の天板部を上記の基板部と平行となるように形成する。
【考案の効果】
【０００７】
本考案によれば、上記のように構成したので、単一の家具としてその配置の仕方により座椅子、テーブル等として多目的に用いることができたり、更には数組の多用途家具を組合わせたり、配置することにより椅子、ベンチ、書棚やベッド等として多目的に利用することができる。
【実施例１】
【０００８】
以下に本考案の実施例について説明すると、図１及び図２は考案に係る多用途家具の斜視図であり、図１は座椅子として使用する場合であり、図２はテーブルとして使用する場合である。図３乃至図５は同斜視図であり、図３は椅子として使用する場合であり、図４は書棚として使用する場合であり、図５はベッドとして使用する場合である。図６は構成される各板部の拡大した一部縦断側面図である。
【０００９】
図１において、１は矩形状に形成した基板部であり、同基板部１は厚さ１８ｍｍ、幅４５０ｍｍ、長さ７５０ｍｍに形成されている。２は基盤部１の一側の長辺から垂直に立設した幅広の側板部２であり、３は他側の長辺の両端部から垂直に立設した幅狭の側板部である。４は天板部であり、上記両側板部２，３の上端部に接合されている。
【００１０】
これらの各板部１，２，３，４は全体が集成材により形成されており、その中心位置において板部の端面からやや突出した凸部１ａ，２ａ，３ａ，４ａが無垢材により形成されている。これらの凸部１ａ，２ａ，３ａ，４ａは、デザイン的要素のほか、持ち運びの際には指係り部として機能する。
【００１１】
これらの基板部１、両側板部２，３及び天板部４とのそれぞれの接合は、図７に示すようにその接合面に薄板５を入れ込む雇核矧ぎ継ぎ手により接合されている。そのために強度も充分に保持されると共に装飾的にも綺麗な仕上げとなる。また、各接合部分の内側面には横断面が三角形の補強材６が接合されており、強度が更に補強されている。
【００１２】
上記のように形成される多用途家具を使用するにあたっては、図１に示す座椅子の場合には、基板部１を下側にして配置することにより座椅子として使用することができる。この場合、図示しないが座面部分や背面となる幅広の側板部にクッションをあてがうことにより座椅子として良好となる。また、図２に示すように２段重ねに配置することにより、同様に椅子として良好となる。
【００１３】
図３の使用例では天板部４を下側にして配置したものであり、この場合には基板部１がテーブル面として機能することとなる。図４の使用例では幅広の側板部２を下側にして２段重ねにして書棚や飾り棚として良好となる。図５の使用例では天板部４を下側にして４個の多用途家具を組合わせてベッドとして用いる場合を示してあり、その他、使用者のアイデア次第で色々な目的の家具として用いることができる。
【産業上の利用可能性】
【００１４】
本考案は単一の家具でありながら、その配置の仕方や組合わせ方により種々の目的に対応することが可能な多用途家具を提供することでできる。
【図面の簡単な説明】
【００１５】
【図１】座椅子として使用する場合の多用途家具の斜視図である。
【図２】テーブルとして使用する場合の多用途家具の斜視図である。
【図３】椅子として使用する場合の多用途家具の斜視図である。
【図４】書棚として使用する場合の多用途家具の斜視図である。
【図５】ベッドとして使用する場合の多用途家具の斜視図である。
【図６】各板部の拡大した一部縦断側面図である。
【図７】各板部の接合状態を示す
【符号の説明】
【００１６】
１  基板部
２  幅広の側板部
３  幅狭の側板部
４  天板部
６  補強材
【図１】
0003108926.tif 000003
【図２】
0003108926.tif 000004
【図３】
0003108926.tif 000005
【図４】
0003108926.tif 000006
【図５】
0003108926.tif 000007
【図６】
0003108926.tif 000008
【図７】
0003108926.tif 000009
(57)【要約】【課題】本考案は、携帯電話本体に携帯電話用イヤホンをしようした場合にイヤホンのコードによるまとわりつきを防止し、また、ねじれによる素線切れを防止し、交通事故、歩行者事故を防ぐのに役立つ。【解決手段】本考案は、携帯電話本体に貼り付け、イヤホンコードを収納、長さを調整することにより、車中では、コードのまとわりつきによる交通事故防止、歩行中では、コードの引っかかりによる事故防止として役立つ。【選択図】図１
0003108927.tif 000002
【実用新案登録請求の範囲】
【請求項１】
携帯電話本体に携帯電話用イヤホンを装着して使用する際に、本考案器具を貼り付けることにより、イヤホンコードの収納及びコードの長さを調整することを特徴とした携帯電話用イヤホンコード収納及び長さ調整器具である。
【考案の詳細な説明】
【技術分野】
【０００１】本考案は、携帯電話に携帯電話用イヤホンを用いた際に収納機能及び長さ調節機能を持った携帯電話に関する器具である。
【背景技術】
【０００２】車内、路上で携帯電話を携帯電話用イヤホン（以下イヤホンという）により使用する場合、イヤホンのコードがだらついたり、よれたり、ねじれたり、まとわりが原因の交通事故、歩行者事故をおこす危険がある。
【考案の開示】
【考案が解決しようとする課題】
【０００３】運転中のイヤホンのコードのまとわりつきが原因の交通事故が考えられ、また、歩行中のイヤホンコードの引っかかりでの怪我をする場合も予測され危険である。従って、イヤホンコードの収納、長さ調整を可能にし、前記の欠点を解決するものである。
【課題を解決するための手段】
【０００４】本考案は、携帯電話本体に貼り付けることにより、イヤホンコード使用の車中、歩行中に支障のないようにコードの収納、長さ調節をし、交通事故、歩行者事故を防止することにより、本題点を解決している
【考案の効果】
【０００５】本考案を携帯電話本体に貼り付けることにより、イヤホンコードのまとわりつき、コードのねじれによるコードの素線切れを防止し、コードを収納、長さ調整ができ、しかも運転中のコードのまとわりつきによる運転事故防止、歩行者事故防止として役立つ。
【考案の実施するための最良の形態】
【０００６】携帯電話本体の裏面に本考案を貼付け、固定するのみ。
【実施例】
【０００７】以下、添付図面のようにＡは携帯電話本体、Ｂは本考案の収納及び長さ調整器具で、材質はプラスチックゴムである。
【図面の簡単な説明】
【０００８】
【図１】本考案を携帯電話本体に貼り付けた際の実施例を示す、真上から見た図である。
【図２】本考案を携帯電話本体に貼り付けた際の実施例を示す、真横から見た図である。
【符号の説明】
Ａ  携帯電話本体
Ｂ  本考案器具
Ｃ  携帯電話用イヤホン
【図１】
0003108927.tif 000003
【図２】
0003108927.tif 000004
【手続補正書】
【提出日】平成16年12月17日(2004.12.17)
【手続補正１】
【補正対象書類名】実用新案登録請求の範囲
【補正対象項目名】全文
【補正方法】変更
【補正の内容】
【実用新案登録請求の範囲】
【請求項１】
携帯電話機本体に携帯電話用イヤホンを装着して使用する際に、携帯電話機本体の裏側に取り付け固定される携帯電話機用イヤホンコード収納及び長さ調整器具であって、イヤホンコードを巻き付け収納、または長さを調整するための溝を両側側面に設け、さらに前記調整器具の中心を通る部分に溝を設け、該溝の片側にはイヤホン本体を収納可能な部分を設けることにより携帯電話機本体とイヤホンコード収納及び長さ調整器具を一体化したことを特徴とする携帯電話機用イヤホンコード収納及び長さ調整器具。
【手続補正２】
【補正対象書類名】明細書
【補正対象項目名】全文
【補正方法】変更
【補正の内容】
【考案の詳細な説明】
【技術分野】
【０００１】本考案は携帯電話機に携帯電話機用イヤホンを使用した際のイヤホンに関するものである。【０００２】現在、携帯電話は今や１人に１台の時代となっている。
道路交通法の改正により、自動車を運転中、手に持っての携帯電話の使用が禁止され、ハンズフリー器具やイヤホンを使用する人々が増えている。携帯電話に携帯電話機用イヤホンを装着して使用するとコードがだれたり、まとわりついたり、または絡まったりする。
自動車を運転している時は、危険きわまりない。気持ちが運転に集中できず、事故の元となる。
【考案の開示】
【考案が解決しようとする課題】
【０００３】自動車運転中のイヤホンのコードのまとわりつきが、原因となる交通事故が予測され危険である。本考案はイヤホンコードの収納、長さ調整を可能にし、イヤホンのコードが原因となる事故をなくすことを観点にしている。
【背景技術】
【０００４】従来のイヤホンコードを収納する器具類は、携帯電話機本体の他にもう１つ収納用の物を持たなければならなかった。
これは重さ的にも負担になり、又、持ち歩くのにも不便である。
【考案の効果】
【０００５】本考案を携帯電話機本体の裏面に取り付け、固定することにより、携帯電話機本体のみで、余分な物を持たなくてすみ、イヤホンのコードの長さを調整でき、事故を未然に防ぐことができる。
【考案の実施するための最良の形態】
【０００６】携帯電話機本体の裏面に取り付け、固定するのみ。
【考案の詳細な説明】
【０００７】以下、本考案の実施の形態を別紙図面を参照して説明する。
本考案の材質はやわらかいビニールプラスチック製である。
取り付け方法は両面テープを用いる。
【図面の簡単な説明】
【０００８】
【図１】は本考案を携帯電話機本体の裏面に取り付けた状態を斜視した図面である。
【図２】は本考案を真上から見た図である。
【図３】は本考案を真横から見た図である。
【図４】は本考案を携帯電話機本体に取り付け、斜視した図である。
【符号の説明】
【０００９】Ａ  イヤホン本体収納部分
Ｂ  コード巻きつけ部分
Ｃ  イヤホン本体
【手続補正３】
【補正対象書類名】図面
【補正対象項目名】全図
【補正方法】変更
【補正の内容】
【図１】
0003108927.tif 000005
【図２】
0003108927.tif 000006
【図３】
0003108927.tif 000007
【図４】
0003108927.tif 000008
(57)【要約】【課題】  本考案は、Ｏ型便座カバーの使用中のずれや外れの防止と洗濯時の余分な手間をはぶき簡素化することを目的とする。【解決手段】  上記目的を解決するために、パイプの代わりに、便座カバーの側面又は下部にＯＰ仕様ファスナーを取りつけることで解決する。これによりカバーのずれ外れがなく、取り付けも容易で、洗濯もカバーを付けたままできる。男子小便用に便座を立てた時の体裁もとても良くなる。【選択図】  図１
0003108918.tif 000002
【実用新案登録請求の範囲】
【請求項１】
Ｏ型便座カバーのずれや外れを改善するために、カバーの側面又は下部（裏面）にファスナーを取りつけることを特徴とする便座カバー
【考案の詳細な説明】
【技術分野】
【０００１】  本考案は、便座カバーのずれや外れをなくする為にファスナーを取り付けた便座カバーに関するものである。
【背景技術】
【０００２】  従来の便座カバーは、使用中に外れることも良くある。また、洗濯時にもパイプを外すという手間がかかる。男子小便用に便座を立てた時の体裁も良くない。
【考案の開示】
【考案が解決しようとする課題】
【０００３】  従来のＯ型便座カバーは、使用中に良く外れたりずれたりして嫌な思いをする。また、洗濯の時便座カバーからパイプを取り出し、逆に便座に取りつける時はパイプを挿入するという大変な手間がかかる。
【課題を解決するための手段】
【０００４】  本考案は、パイプの代わりに、便座カバーの側面又は下部にＯＰ仕様ファスナーを取りつける。これによりカバーのずれ外れがなくなり、また、洗濯時も余分な手間かからず問題を解決している。
【考案の効果】
【０００５】  使用中カバーがずれたり外れたりすることがない。便座への取り付けも容易で、洗濯もファスナーを付けたままできる。いろいろな色や種類のファスナーを使用することによってデザイン性も向上し、特に男子小便用に便座を立てた時の体裁がとても良くなる。
【図面の簡単な説明】
【図１】  正面図  便座を立て、ファスナー付き便座カバーを付けた図である。
【図１】
0003108918.tif 000003
(57)【要約】【課題】  本考案は巻物状の姿見を作ることで、コンパクトに巻いて収納でき、携帯もできる姿見を可能にするものである。【解決手段】  本考案は、長方形の鏡１を複数個、連結シート２で連結することで、全身を映せる鏡を作り出し、１の鏡面を保護しながらシート２で巻くことで、全身を映せる長さを持つ姿見をコンパクトに巻いて収納したり携帯することを可能にし、室内の省スペースや外出先の利便の向上に役立ち、前述の課題を解決する。【選択図】  図１
0003108327.tif 000002
【実用新案登録請求の範囲】
【請求項１】
長方形の鏡１を複数個連結して巻物状にして収納でき、又、携帯もできる巻物状の姿見。
【請求項２】
前記長方形の鏡１が、鏡面ガラスや鏡面金属、ミラー状のポリカーボネイト、ミラーシート等を張った板材等適宜素材で作られた、請求項１の巻物状の姿見。
【請求項３】
前記姿見の上部に、耐久性プラスチック等適宜素材で作られたフック３を装着させて、任意の場所に設置できる請求項１、２の巻物状の姿見。
【考案の詳細な説明】
【技術分野】
【０００１】  本考案は、長方形の鏡を連結し上部にフックを装着した、巻物状の姿見に関するものである。
【背景技術】
【０００２】  従来、姿見には鏡台やスタンド式姿見、壁掛け式姿見などがあり、いずれも１枚の大きな鏡を用いて作られていた。
【考案の開示】
【考案が解決しようとする課題】
【０００３】  姿見の様に背の高い大きな鏡を常時設置するには、鏡を置くためのスペースが必要で、部屋を狭くしたり、狭い部屋では設置できなかったり、又、災害時等に破損して怪我をする危険もあった。さらに、従来、重くて大きな姿見は簡単に運べないので携帯することができず、外出先等で全身の身だしなみを整える為の携帯用の姿見がなかった。従って、全身を映せる大きさの姿見を巻物状に巻くことで、コンパクトに収納でき、またそれを携帯可能にすることにより、前述の欠点を解決しようとするものである。
【課題を解決するための手段】
【０００４】  本考案は、小型の長方形の鏡１を複数作り、それらをフエルトや不繊布等適宜素材の柔軟なシート２等で連結することで、全身を映せる長さと大きさを持つ連結された鏡を作り出し、自在に巻いてコンパクトに収納でき、広げると姿見として使用できる姿見を可能にする。又、ミラー状のポリカーボネイト等薄くて軽い適宜素材で鏡１を作った場合は、巻物状にした時に軽くて嵩張らないので、手軽に持ち運びができる携帯用の姿見を可能にする。さらに、上部に自由に角度が変えられるフック３を装着したことによりクローゼット内、または室内、外出先等任意の場所に吊り下げて使用できることを可能にし、前述の問題点を解決している。
【考案の効果】
【０００５】  上述の様に、本考案の巻物状の姿見は通常の姿見と同様に全身を映せることは勿論、コンパクトに巻いて収納できることで省スペースに役立ち、さらに携帯してどこでも身だしなみが整えられることで利便性を向上させ、さらに、常時室内に割れやすい鏡面ガラス等で作った姿見を設置せずにすむため防災にも役立つ。又、本巻物状の姿見を左右に横に広げて用いれば、数人を同時に写す鏡になり、又、部分的に広げて使用すれば、姿見としてだけではなく任意の大きさの鏡として使用する等、多目的に役立つことができる。
【考案を実施するための最良の形態】
【０００６】  鏡面ガラスや鏡面金属、ミラー状のポリカーボネイト、ミラーシート等を張った板材等適宜素材で作られた複数の長方形の鏡１の裏を、鏡の表面を痛めないフエルトや不繊布等適宜素材の柔軟なシート２で、全体として姿見大の長さと大きさを持つ大きさになるように連結して、且つ、柔軟なシート２で保護しながら、鏡面を外側にして巻くことができる形態の姿見。柔軟なシート２を、姿見を巻いた時に外周をさらに１周できる以上の長さに、鏡の上部に延長することで、姿見全体を巻いた時に、前記鏡の鏡面全体を保護できるようにする。柔軟なシート２の上辺を、厚紙等適宜素材で補強することで、吊り下げた時に姿見としての形態を維持できる様にする。又、上部に角度を変えられるフック等のフック３を装着することで、本巻物状の姿見を吊り下げることができるようにする。さらにバンド４を設置することで、姿見を収納する場合、巻物状に巻いた状態を安全に確実に保つ様にする。
【実施例】
【０００７】  以下、添付図面に従って一実施例を説明する。１は鏡面ガラスや鏡面金属、ミラー状のポリカーボネイト、ミラーシート等を張った板材等適宜素材の長方形の鏡で、１を複数連結して姿見本体を形成する。又、１は２のフエルトや不繊布等適宜素材の柔軟なシートで連結する。３は、耐久性の高いプラスチック等適宜素材にて形成された、角度を変えられるフックで、１、２を吊り下げる。【０００８】  又、２は、最上部の長方形の鏡面１の上から、本体を巻物状にした時に外周を一周できるに足る適宜の長さに延長することで、姿見を巻物状に巻いた時に鏡面全体を保護することができる。さらに、フック３の付け根を柔軟なシート２の横幅と同じ長さにすることで、柔軟なシート２を補強する。【０００９】  本体を収納する時は、４のマジックテープ（登録商標）等適宜素材を装着したベルトを、５で固定する。又、４、５は、姿見を広げて吊す時、吊す高さを調節できる高さ調節ベルトとしても機能する。【００１０】  本考案の一実施例は上述の如き構成からなるものであるから、収納可能な姿見として使用することは勿論、携帯用の姿見として、さらにその他多用途に使用が可能である。
【図面の簡単な説明】
【００１１】
【図１】巻物状姿見を広げて任意の凸部に吊り下げた一実施例を示す正面図である。
【図２】本巻物状姿見の鏡面部分の側面図である。
【図３】巻物状姿見を巻いたときの側面図である。
【符号の説明】
【００１２】１  長方形の鏡
２  連結シート
３  フック
４  ベルト
５  ４を固定する物
【図１】
0003108327.tif 000003
【図２】
0003108327.tif 000004
【図３】
0003108327.tif 000005
(57)【要約】      （修正有）【課題】従来歩行の時杖の先端が床面に対して点で接していた。従って不安定であった。点でなく面で接する安定感のあるゴムクッションのついた杖を提供する。【解決手段】杖２の先端に平板状のクッションゴム１をさしこみこの折れ曲がり部分に溝をつけた事を特徴とする。【選択図】図２
0003108324.tif 000002
【実用新案登録請求の範囲】
【請求項１】
杖の先端に折曲げ可能な平板状のクッションゴムをつけた杖
【考案の詳細な説明】
【技術分野】
【０００１】この考案は杖の先端に平板状になった折曲げ可能なゴムクッションをつけた杖に関するものである。
【背景技術】
【０００２】従来杖の先端はそのそとがわに円筒状のゴムキャップがさしこまれていた。
【考案の開示】
【考案が解決しようとする課題】
【０００３】これは次のような問題点があった。
歩行時杖は床面に対して斜めとなるため床面とは点で接することになりすべりやすく不安定であった。
本考案は以上のような欠点をなくすためになされたものである。
【課題を解決するための手段】
【０００４】杖の先端に折曲げ可能な平板状のゴムクッションをつける。
以上の構成よりなるゴムクッションをつけた杖である。
【考案の効果】
【０００５】すべりにくく安定感がある。
形は四角だけでなく曲面でもよい。
【考案を実施するための最良の形態】
【０００６】以下本考案の実施例について説明する。
杖の先端に平板状のゴムクッションをとりつけ折曲げ部分には進行方向にたいして直角に溝をもうける。溝の形は半円でもＶ字形でもよい。
本考案は以上のような構造でこれを使って歩行する時溝部分に折曲げができ床面にたいして面として接した状態となる。
なお床面に接する部分に溝をもうける事により、より滑りにくくなる。
【図面の簡単な説明】
【０００７】
【図１】      本考案の斜視図である。
【図２】      本考案の使用中の斜視図である。
【符号の説明】
【０００８】  １はゴムクッション  ２は杖本体  ３は溝
【図１】
0003108324.tif 000003
【図２】
0003108324.tif 000004
(57)【要約】【課題】従来マナ板はそれのみで使用していた。そのため調理スペースの少ないところでは不便だった。マナ板の下に架台をつけたマナ板を提供する。【解決手段】架台（２）の上に接着材等を付着させ、その上にマナ板をのせて固定する。又架台（２）の先端には水槽の縁にのせかけやすくするため架台の先端（３）を平板状にする事を特徴とする。【選択図】図１
0003108325.tif 000002
【実用新案登録請求の範囲】
【請求項１】
マナ板の下部に架台をつけたマナ板。
【考案の詳細な説明】
【技術分野】
【０００１】この考案はマナ板の下部に架台をつけたマナ板に関するものである。
【背景技術】
【０００２】従来マナ板はそれだけで調理台等の上で使用するものであった。
【考案の開示】
【考案が解決しようとする課題】
【０００３】これは次のような問題点があった。
調理をするスペースに什器等がおかれているとそれを片付けないとマナ板をおく場所がなく不便な場合が多がった。
本考案は以上のような欠点をなくすためになされたものである。
【課題を解決するための手段】
【０００４】マナ板の下に架台をとりつける。
以上の構成よりなる架台をとりつけたマナ板である。
【考案の効果】
【０００５】マナ板と架台が１体となっているので通常調理台のとなりにある水槽部分に架台をおく事によりその上部にあるマナ板で調理ができる。
【考案を実施するための最良の形態】
【０００６】以下この考案の実施例について説明する。
マナ板（１）の下部の両側近くに、Ｌ形状の架台（２）をおく。
マナ板（１）と架台（２）とは接着材両面テープビスシーリング等で固定する。
架台先端部分（３）は水槽縁にのせるため平板状にする。
本考案は以上のような構造で、これを使用する時は、架台と一体となった
マナ板を水槽の空間部分にのせてそこで調理をすればよい。
【図面の簡単な説明】
【０００７】
【図１】本考案の斜視図である。
【符号の説明】
【０００８】１はマナ板  ２は架台  ３は架台先端
【図１】
0003108325.tif 000003
(57)【要約】【課題】  本考案は、従来型ダンベルにスチール製柄を取り付けることにより、遠心力を利用したトレーニングをすることを可能にし、上半身全体と下半身大腿部の筋力強化を可能とする。【解決手段】  重りとして使用するダンベル１にスチール製の柄３をネジ込み部２を使い、取り付け、それを左右交互に回すことにより、遠心力を利用したトレーニングを可能にする。その際、遠心力からくる衝撃が手に伝わるのを和らげる為、５のスチール部の内部に６の衝撃吸収材を入れ、使用者の手にかかる衝撃を和らげることにより、快適なトレーニングを可能とする。【選択図】    図１
0003108330.tif 000002
【実用新案登録請求の範囲】
【請求項１】
先端に雄ネジが形成された０．５〜１．０ｍの長さの棒状の柄と、前記雄ネジに螺合する雌ネジが中央部に形成されたダンベル型おもりとを備え、前記ダンベル型おもりが前記棒状の柄に着脱自在に螺合されるようになっていることを特徴とするダンベル型トレーニングハンマー。
【請求項２】
前記棒状の柄は金属からなり、その棒状の長さ方向に沿って内部に衝撃吸収材が埋め込まれていることを特徴とする請求項１記載のダンベル着脱型トレーニングハンマー。
【考案の詳細な説明】
【技術分野】
【０００１】  本考案は、身体鍛練を目的とし、ダンベルに柄を取り付けた、着脱可能のトレーニング器具である。
【背景技術】
【０００２】  上半身を鍛える場合、ダンベル・バーベル・ベンチプレス等、様々な器具を使い、時間をかけてトレーニングをする必要があった。
【考案の開示】
【考案が解決しようとす課題】
【０００３】  しかしながら、ダンベル、バーベル、ベンチプレスなどを各機器を個別に揃えるのは経済的負担が大きく、また置き場所などもそれぞれに用意する必要がある。本考案は、上記課題を解決するためのもので、従来、ダンベル、バーベル、ベンチプレスなどを利用して行っていたトレーニングを一つの器具で対応可能とすることができるようにし、経済的で収納スペースも小さくてすむダンベル着脱型トレーニングハンマーを提案するものである。
【課題を解決するための手段】
【０００４】  本発明のダンベル着脱型トレーニングハンマーは、先端に雄ネジが形成された０．５〜１．０ｍの長さの棒状の柄と、前記雄ネジに螺合する雌ネジが中央部に形成されたダンベル型おもりとを備え、前記ダンベル型おもりが前記棒状の柄に着脱自在に螺合されるようになっていることを特徴とする。
また、前記棒状の柄は金属からなり、その棒状の長さ方向に沿って内部に衝撃吸収材が埋め込まれていることを特徴とする。
【考案の効果】
【０００５】  本発明のダンベル着脱型トレーニングハンマーによれば、ダンベル型おもりと柄を一体にして、振り回しあるいは振り上げて落とすなどの運動により、遠心力を利用しての腕、肩、背中、腹等の鍛錬が可能となる。また、ダンベル型おもりを柄から外し、そのおもり単体で利用して、腕、肩、背中、腹等の鍛錬も可能となる。さらに、ダンベル型おもりはその重さを変えて複数用意しておけば、トレーニングする人に応じた負荷による適切なトレーニングが可能となる。
【考案を実施するための最良の形態】
【０００６】  スチール製柄に装着したダンベルを振り上げて落とすことにより遠心力を加え、落ちる前に手で止めることにより、腕、肩、背中、腹等に負荷をかける。それを左右交互に繰り返し、左右両方の腕、肩、背中、腹等の筋力アップを行う。ダンベルの形状を鉄から水の入るプラスチック製に変えることにより、女性、子供にも使用可能である。
【実施例】
【０００７】  図１は本考案の一例を示すダンベル着脱型トレーニングハンマーの斜視図、図２はダンベル着脱型トレーニングハンマーを構成する棒状の柄の断面図である。１はダンベル型おもりで、中央の支持部１ａの両端におもり部１ｂが設けられている。支持部１ａの中間部には雌ネジ１ｃが切られており、この雌ネジ１ｃに、棒状の柄３がその先端に形成された雄ネジ２を介して着脱自在に螺合する。
ダンベル型おもり１は、通常はスチールなどの金属製である。しかしながら、内側が空間に形成されたプラスチックなどで形成し、その空間部に水などを入れておもりとしてもよい。なお、ダンベル型おもり１は、その重さを変えて複数種類用意しておき、トレーニングする者が、適宜選択して使用できるようにしておくのが好ましい。また、棒状の柄３の先端の雄ネジ２は、棒状の柄３の先端部をねじ切り加工して形成するのが好ましいが、棒状の柄３に雄ネジ２を形成した別部材を取り付けて形成してもよい。
棒状の柄３は、通常はスチールなどの金属製である。しかしながら、ダンベル型おもり１がプラスチックなどで形成されている場合には、これもプラスチックから形成するのが好ましい。なお、金属製の柄３の場合には、その棒状の長さ方向に沿って、内部にゴムや繊維などの衝撃吸収材が埋め込まれていることが好ましい。【０００８】  １の重りと、３の柄の部分を継ぐ２のネジ込み部を使うことで、着脱可能とし、装着時は重りつきハンマーとして、着脱時は、１単体でダンベルとして使用することにより、２種類のトレーニングを可能とする。
【図面の簡単な説明】
【０００９】
【図１】ダンベル着脱型トレーニングハンマーの斜視図
【図２】ダンベル着脱型トレーニングハンマーを構成する棒状の柄の断面図
【符号の説明】
【００１０】  １    ダンベル型おもり
１ａ  支持部
１ｂ  おもり部
１ｃ  雌ネジ
２    雄ネジ
３    棒状の柄
５    金属（スチールなど）
６    衝撃吸収材
【図１】
0003108330.tif 000003
【図２】
0003108330.tif 000004
(57)【要約】      （修正有）【課題】より使いやすい円座を提供する。【解決手段】細い管Ｂで連結された数個の空気袋の群の外側を砂嚢Ａで被ったことを特徴とする。【選択図】図１
0003108326.tif 000002
【実用新案登録請求の範囲】
【請求項１】
細い管で連結した数個の空気袋の外側を砂嚢で包んだ構造のニュウ円座
【考案の詳細な説明】
【産業上の利用分野】
【０００１】    環境、衛生に関するものである。
〔従来の技術〕
【０００２】    長い間床に臥している人、殊に体力の弱った人は床ずれが出来やすいのである。それは体重や手足の重みがかかっている場所に出来やすいのである。その床ずれを防ぐ為に工夫されたのが円座であり、エヤーマットである。一箇所に重さが集中していると、その場所に床ずれが出来やすいのである。そこで体の重さを分散して床ずれを防ごうという試みである。その為にゴム袋の中に空気をいれて腰、背中、手、足の重さを分散させるのである。又中に綿、布、小豆、等をいれた布袋を用いていたが、本考案もその様に体の重さの分散を計り床ずれを防ごうという試みのひとつである。
〔本考案が解決しようとする課題〕
【０００３】    ゴム袋の中に空気を入れた円座は体の重さの分散を計る場合には良いが、吸湿性がなく、体表面から出る汗や水分の蒸発を吸収する事がなく、皮膚に悪影響を及ぼすのである。綿や布を重ねる場合には多量の物を用いないと体の重みに負けてすぐにペチャンコになり長い用には耐えられないきらいがあるのである。又ビニールを用いた空気袋も弾力性がやや弱い傾向があるのである。そこで接触する皮膚にも都合がよく、かつある程度の抵抗が長く続き弾力性もある程度あって体重の分散が十分有る様なものが求められていたのである。
〔課題を解決するための手段〕
【０００４】    そこで体の重みの分散が十分であるように、空気袋を用いるのであるが、弾力性が少しでも増すように数個の空気袋を用いるのである。即ちその空気袋群は小さな管で連結した空気袋を数個重ねたものであって、一番上の空気袋に重みがかかるとその袋の空気が一杯になる前に、空気は次の袋に移り、次の袋の空気も一杯になる前に次の袋へと移動していくのである。その間に抵抗は軽減されていくのである。
そして円座にかかる重さに対する弾力性は増してくるのである。又砂嚢を用いて砂と砂との間に空気層を保ち、水分の発散を妨げぬよう考慮して、接触する皮膚に好影響があるよう配慮するのである。
〔実施例〕
【０００５】    ４０ｃｍ×５０ｃｍの平らな空気袋を４個重ね、その間を細い管で連結し、その外側を砂嚢で包みそしてその外側をふとん袋のように布袋で被って完成である。
〔考案の効果〕
【０００６】    体重のかかる場所では床ずれが出来やすい。この為体重の分散が図られるのであるが、本案のニュー円座を用いればこの目的がかなりたっせられる。
構造は簡単。作成は容易、安価である。
【図面の簡単な説明】〔図１〕              斜位図
〔図２〕              側面図
〔図３〕              水平面図
【符号の説明】
Ａ……………………砂嚢
Ｂ……………………細い管
Ｃ……………………外側の布袋
Ｄ……………………空気袋
【図１】
0003108326.tif 000003
【図２】
0003108326.tif 000004
【図３】
0003108326.tif 000005
【図４】
0003108326.tif 000006
【手続補正書】
【提出日】平成16年11月15日(2004.11.15)
【手続補正１】
【補正対象書類名】明細書
【補正対象項目名】全文
【補正方法】変更
【補正の内容】
〔書類名〕                明細書
〔考案の名称〕          ニュー円座
〔産業上の利用分野］
〔０００１〕
環境、衛生に関するものである。
〔従来の技術〕
〔０００２〕
長い間床に臥している人、殊に体力の弱った人は床ずれが出来やすいのである。それは体重や手足の重みがかかっている場所に出来やすいのである。その床ずれを防ぐ為に工夫されたのが円座であり、エヤーマットである。一箇所に重さが集中していると、その場所に床ずれが出来やすいのである。そこで体の重さを分散して床ずれを防ごうという試みである。その為にゴム袋の中に空気をいれて腰、背中、手、足の重さを分散させるのである。又中に綿、布、小豆、等をいれた布袋を用いていたが、本考案もその様に体の重さの分散を計り床ずれを防ごうという試みのひとつである。
〔本考案が解決しようとする課題〕
〔０００３〕
ゴム袋の中に空気を入れた円座は体の重さの分散を計る場合には良いが吸湿性がなく、体表面から出る汗や水分の蒸発を吸収する事がなく、皮膚に悪影響を及ぼすのである。綿や布を重ねる場合には多量の物を用いないと体の重みに負けてすぐにペチャンコになり長い用には耐えられないきらいがあるのである。又ビニールを用いた空気袋も弾力性がやや弱い傾向があるのである。そこで接触する皮膚にも都合がよく、かつある程度の抵抗が長く続き弾力性もある程度あって体重の分散が十分有る様なものが求められていたのである。
〔課題を解決するための手段〕
〔０００４〕
そこで体の重みの分散が十分であるように、空気袋を用いるのであるが、弾力性が少しでも増すように数個の空気袋を用いるのである。即ちその空気袋群は小さな管で連結した空気袋を数個重ねたものであって、一番上の空気袋に重みがかかるとその袋の空気が一杯になる前に、空気は次の袋に移り、次の袋の空気も一杯になる前に次の袋へと移動していくのである。その間に抵抗は軽減されていくのである。
そして円座にかかる重さに対する弾力性は増してくるのである。又砂嚢を用いて砂と砂との間に空気層を保ち、水分の発散を妨げぬよう考慮して接触する皮膚に好影響があるよう配慮するのである。
〔実施例
〔０００５〕
４０ｃｍ×５０ｃｍの平らな空気袋を４個重ね、その間を細い管で連結し、その外側を砂嚢で包みそしてその外側を布団袋のように布袋で被って完成である。
〔考案の効果〕
〔０００６〕
体重のかかる場所では床ずれが出来やすい。この為体重の分散が図られるのであるが、本案のニュー円座を用いればこの目的がかなりたっせられる。構造は簡単。作成は容易、安価である。
〔図面の簡単な説明〕
〔図１〕            斜位図
〔図２〕            側面図
〔図３〕            水平面図
〔図４〕            水平面図
〔符号の説明〕
Ａ・・・・砂嚢
Ｂ・・・・細い管
Ｃ・・・・外側の布袋
Ｄ・・・・空気袋
(57)【要約】【課題】  コンサートやイベント中のストラップ位置自在折りたたみ式ペンライトを提供する。【解決手段】  ビニール製またはゴム製円状留め具でストラップを設けたペンライト２本に、ジョイントを設けたことを特徴とするストラップ位置自在折りたたみ式ペンライト。【選択図】  図１
0003108319.tif 000002
【実用新案登録請求の範囲】
【請求項１】
ビニール製またはゴム製留め具でストラップを設けたペンライト２本に、ジョイントを設けたことを特徴とするストラップ位置自在折りたたみ式ペンライト。
【考案の詳細な説明】
【技術分野】
【０００１】  本考案は、コンサートやイベントのペンライトで用途に応じて長短を調節でき、ビニール製またはゴム製の留め具を用いてストラップ位置を変更できる、ストラップ位置自在折りたたみ式ペンライトに関するものである。
【背景技術】
【０００２】  従来、ペンライトは長短の調節ができなく、ストラップ位置が固定されていた。
【考案の開示】
【考案が解決しようとする課題】
【０００３】  そのため次のような問題点があった。
（イ）短いペンライトをつなげ、長くして使えなかった。
（ロ）長いペンライトは持ち運びや保管にわずらわしかった。
（ハ）ストラップ位置が限定され、使いやすい位置に装着することができなかった。
本考案は、以上の問題点を解決するためになされたものである。
【課題を解決するための手段】
【０００４】  １つのジョイントを設ける。ビニール製またはゴム製の円状の留め具を設ける。以上を特徴とするストラップ位置自在折りたたみ式ペンライトである。
【考案の効果】
【０００５】  ペンライトの長短を状況に応じて調節でき、また、使いやすい位置にストラップを装着できる。
【考案を実施するための最良の形態】
【０００６】  以下、本考案の実施の形態を説明する。
（イ）ペンライト（１）（１）のスイッチボタン（２）側にジョイント（３）を設ける。
（ロ）ビニール製またはゴム製の円状の留め具（４）をスイッチボタン（２）の反対側先端に設ける。
本案は以上のような構造でこれを使用するときは、ペンライト（１）（１）のスイッチボタン（２）側の先端部をジョイント（３）に差し込み、スイッチボタン（２）の反対側にビニール製またはゴム製の円状の留め具（４）でストラップ（５）を装着する。すると、ジョイント（３）付近にスイッチボタン（２）があるのでジョイント（３）を持ちながらスイッチボタン（２）の切り替えが簡単にできる。【０００７】  また、図２に示すように、ジョイント（３）を取り外して２本のペンライト（１）（１）にし、ビニール製またはゴム製の円状留め具（４）とストラップ（５）をスイッチボタン（２）側にも装着できる。これにより、スイッチボタン（２）側にストラップ（５）を装着した２本のペンライトをつくり、短いペンライトが好まれる状況でも使うことができる。
【図面の簡単な説明】
【０００８】
【図１】  本考案の斜視図
【図２】  本考案の分解斜視図
【図３】  本考案の他の実施例を示す斜視図
【符号の説明】
【０００９】  １    ペンライト
２    スイッチボタン
３    ゴム製の円状の留め具
４    ビニールまたはゴム製の円状留め具
５    ストラップ
【図１】
0003108319.tif 000003
【図２】
0003108319.tif 000004
【図３】
0003108319.tif 000005